(57)【要約】【課題】マンホール内外への出入りを容易に行うことができ、また、その設置作業も簡単に行うことができるマンホール出入り用装置を提供する。【解決手段】マンホール出入り用装置１は昇降用ステップ６に連続するように配設される補助梯子３と、該梯子３を支持する梯子支持部材２から構成される。梯子支持部材２は、Ｌ字形状を有し、内壁７方向に延びる壁嵌入支持部とマンホール口方向へ延びる円柱形状の梯子取付け支持部からなり、最上段の昇降用ステップ６ａの上方の内壁７に、補助梯子３の両支柱８ａ、８ｂの間隔Ｗと同じ間隔で取り付けられる。補助梯子３は両支柱８ａ、８ｂの下端部がパイプ形状を有しており、梯子取付け支持部に着脱可能に取り付けられる。【選択図】図１
2010248776.tif 000002
【特許請求の範囲】
【請求項１】
マンホール内壁に形成された昇降用ステップに連続して設けられるマンホール出入り用装置において、
前記昇降用ステップに連続して該ステップの上方のマンホール内壁に取り付けられる左右一対のＬ字状からなる梯子支持部材と、
該梯子支持部材によって支持される補助梯子とから構成され、
前記Ｌ字状の梯子支持部材は、前記マンホール内壁に形成された取付孔に嵌入固定される取付部を有した壁嵌入支持部と、マンホールの出入口方向へ延びる梯子取付け支持部とからなり、
前記補助梯子は、前記昇降用ステップに続くように配置されたステップ部と、下端部が前記梯子取付け支持部に嵌合可能なパイプ状に形成された左右支柱部とからなり、
前記補助梯子は前記梯子支持部材に着脱可能に取り付けられることを特徴とするマンホール出入り用装置。
【請求項２】
前記梯子取付け支持部の上面には反射部材が設けられていることを特徴とする請求項１に記載のマンホール出入り用装置。
【請求項３】
前記補助梯子は、左右の両支柱が真っ直ぐ鉛直方向に延びる形状の梯子、階段状に屈折する形状の梯子、又は斜めに傾斜して延びる形状の梯子であることを特徴とする請求項１または２に記載のマンホール出入り用装置。
【請求項４】
マンホール内に設けられた一番上段の前記昇降用ステップと前記補助梯子の一番下段のステップとの間隔は、前記昇降用ステップ同士の間隔および前記補助梯子のステップ同士の間隔と略同じ間隔に形成されていることを特徴とする請求項１から３のいずれかに記載のマンホール出入り用装置。
【発明の詳細な説明】
【技術分野】
【０００１】
本発明は、上下水道、電力給電線、電話回線等を地下に敷設したときに構築されるマンホール内に作業員が出入りするためのマンホール出入用装置に関するものである。
【背景技術】
【０００２】
通常、コンクリート製のマンホールの内壁面には、作業者が昇降するためのステップが鉛直方向にマンホールの底から出入り口付近まで所定の間隔をおいて複数取り付けられ、全体として梯子状のものが形成されている。このステップは、一般的に、概略コ字状を有しており、作業者が手足を掛ける中央部分と、これに続く両側部分とから構成されている。両側部分の先端部分には、例えば、ねじ構造からなる取付部が形成され、該取付部がマンホール壁部に形成された取付孔に嵌合されてステップはマンホールに取付け固定される。
しかし、上記ステップは、マンホール内にのみ設けられているため、マンホール内での昇り降りの足掛け部（踏桟）、つかまり部としては適しているが、マンホール口から外へ出る際、あるいはマンホール外からマンホール内に入る際の補助部材としては十分なものではなかった。
【０００３】
そこで、このような不具合を解消するために、マンホール口から外部へ配設される補助梯子に関して開発がなされている。そして、下記特許文献１には、受枠の内周面に立穴付突起部を設けて梯子の側杆用ガイドパイプを着脱可能とし、さらに梯子の両側杆の下部を折曲がり可能な構造とした補助梯子取付装置が開示されている。
【０００４】
また、下記特許文献２には、受枠の内周から内側に突き出た位置に一対の取付け孔を設け、これらの取付け孔に基端部を差し込んで立上げ姿勢に保持される地下構造物用蓋の補助梯子が開示され、受枠の内壁から突き出した２本のリブによって受枠に一体に成形され両端部に補助梯子の基端部が差し込まれる取付け孔を有して補助梯子を固定すると共に補助梯子に連なるステップとして利用できる連結座の構成と、補助梯子の基端部に設けられる脚の一方が自由に動いて他方の脚との間隔を変えることができ受枠の取付け孔の位置関係の誤差を吸収するようにした変位機構の構成が記載されている。
【０００５】
また、下記特許文献３には、開口縁枠の上部フランジの上面に当接する上帯板と、下部フランジの下面に近接する下帯板と、上帯板と下帯板の小径側縁部どうしを連結一体化する当接板とから成る支持基台を、固定手段によって上部、下部フランジに固定し、金属パイプ材からなる枠部材を有した手摺り枠を、支持基台の上帯板に設けた一対の差込筒内に枠部材の先端側を差し込んで立設させ、支持基台の下帯板の両端側から垂下板を設け該垂下板の下端部に支持バーを架設してなる梯子支持部にマンホール用梯子を着脱自在に保持するマンホール用梯子装置が開示されている。
【先行技術文献】
【特許文献】
【０００６】
【特許文献１】実公平０６−３０９０７号公報
【特許文献２】特許第３２８５２８６号公報
【特許文献３】特許第４０５７９５７号公報
【発明の概要】
【発明が解決しようとする課題】
【０００７】
しかしながら、上記特許文献１の補助梯子取付装置では、補助梯子を取り付ける突出部について、ガイドパイプが挿入される立穴付と記載されているだけであり、突出部が設けられる受枠内周面との関係については明確にされていなかった。
また、上記特許文献２の地下構造物用蓋の補助梯子では、補助梯子を固定すると共に補助梯子に連なるステップとして利用される連結座は、受枠の内壁から突き出した２本のリブによって受枠に一体に成形されたものであり、既設の地下構造物（マンホール）に対して後付で追加して取り付けることは容易ではなかった。
また、上記特許文献３のマンホール用梯子装置では、該装置を構成する部品の数が多く、また、その構成も複雑であり設置作業に時間を要すという欠点があった。
【０００８】
そこで、本願発明はこのような事情に鑑みてなされたものであり、マンホール内外への出入りを容易に行うことができ、また、その設置作業も簡単に行うことができるマンホール出入り用装置の提供を目的とするものである。
【課題を解決するための手段】
【０００９】
上記課題を解決するために、請求項１に係るマンホール出入り用装置の発明は、マンホール内壁に形成された昇降用ステップに連続して設けられるマンホール出入り用装置において、
前記昇降用ステップに連続して該ステップの上方のマンホール内壁に取り付けられる左右一対のＬ字状からなる梯子支持部材と、
該梯子支持部材によって支持される補助梯子とから構成され、
前記Ｌ字状の梯子支持部材は、前記マンホール内壁に形成された取付孔に嵌入固定される取付部を有した壁嵌入支持部と、マンホールの出入口方向へ延びる梯子取付け支持部とからなり、
前記補助梯子は、前記昇降用ステップに続くように配置されたステップ部と、下端部が前記梯子取付け支持部に嵌合可能なパイプ状に形成された左右支柱部とからなり、
前記補助梯子は前記梯子支持部材に着脱可能に取り付けられることを特徴とする。
【００１０】
本願に係る装置は、マンホールへの作業者の出入りを容易にするための装置であり、マンホールの内壁に設けられている昇降用ステップに連続するようにマンホールの口から外部に架けて配設される補助梯子と、該補助梯子を支持するための梯子支持部材とから構成されている。梯子支持部材は、マンホール内に設けられている昇降用ステップの最上段ステップの上方内壁に取り付けられる。該部材は、左右一対のＬ字状部材からなり、両部材の間隔が補助梯子の左右両支柱の間隔と同じ間隔となるように取り付けられる。
【００１１】
梯子取付け支持部は円柱形状を有し、補助梯子が配置される方向、すなわち、マンホール口の方向へ延びるように立設される。これに対して、該梯子取付け支持部に取付けられる補助梯子は、その左右の支柱下端部が梯子取付け支持部が嵌入可能なように該支持部の形状に対応したパイプ形状を有している。上記のように梯子取付け支持部は円柱形状に形成されているため上記支柱下端部の形状も円形のパイプ形状に形成される。ただし、梯子取付け支持部の形状は円柱形状に限定されるものではなく、例えば、角柱形状を有するものであってもよい。したがって、その場合には上記支柱下端部の形状も角型のパイプ形状に形成すればよい。このように、単純な円柱、角柱形状の梯子取付け支持部に、これに対応した形状のパイプを嵌入させるのみであるため、補助梯子の着脱作業がきわめて容易である。
【００１２】
また、請求項２に係るマンホール出入り用装置は請求項１に記載された発明において、前記梯子取付け支持部の上面には反射部材が設けられていることを特徴とするものである。
梯子支持部材はマンホールの出入り口近傍に取付けられているものの、マンホール内は通常、外部に比べて暗い状態であるため、例えば、夕方、夜間等の外部が暗い状態では梯子支持部材の配設されている場所を容易に確認できず補助梯子の取付作業に時間を要することもある。そこで、補助梯子を嵌入させる梯子取付け支持部の上面等のマンホール外部から見易い位置に反射部材を取付けることにより、外部から照らすライトの光に該反射部材が反射するので、容易に梯子支持部材の位置を特定することができ、補助梯子の取付作業を容易に行うことが可能となる。
【００１３】
また、請求項３に係るマンホール出入り用装置は請求項１又は２に記載された発明において、前記補助梯子は、左右の両支柱が真っ直ぐ鉛直方向に延びる形状の梯子、階段状に屈折する形状の梯子、又は斜めに傾斜して延びる形状の梯子であることを特徴とするものである。
【００１４】
また、請求項４に係るマンホール出入り用装置は請求項１から３のいずれかに記載された発明において、マンホール内に設けられた一番上段の前記昇降用ステップと前記補助梯子の一番下段のステップとの間隔は、前記昇降用ステップ同士の間隔および前記補助梯子のステップ同士の間隔と略同じ間隔に形成されていることを特徴とするものである。
作業者が昇降に使用する、マンホール内から補助梯子に架けて続く一連のステップ間隔を略同間隔に形成することにより、マンホールの出入りをさらに容易にすることができる。
【発明の効果】
【００１５】
本発明のマンホール出入り用装置によれば、作業者のマンホール内外への出入り動作を容易にすることができ、また、出入りの際に使用する補助梯子の取り付け作業も容易にすることができる。さらに、マンホールの内壁に取り付ける梯子支持部材が単純な構造（Ｌ字型）であり内壁への取り付けも容易であるため、新規に設置するマンホールだけでなく、マンホール出入り装置を備えていない既設のマンホールにも容易かつ安価に本装置を設置することができる。
【図面の簡単な説明】
【００１６】
【図１】本発明に係るマンホール出入り用装置の一形態を示す断面図である。
【図２】図１に示すマンホール出入り用装置の側面断面図である。
【図３】図２において補助梯子を取り外した状態を示す図である。
【図４】マンホール内壁に取り付けられた梯子支持部材を示す一部断面図である。
【図５】梯子支持部材の一形態を示す斜視図である。
【図６】（ａ）は、図５に示す梯子支持部材の分解斜視図である。（ｂ）は、スリーブとカバーリングを（ａ）とは逆側から見た斜視図である。
【図７】（ａ）（ｂ）は、図１、２に示す補助梯子と別の形態の梯子を示す図である。
【発明を実施するための形態】
【００１７】
以下、本発明に係るマンホール出入り用装置の実施形態を添付図面に基づいて説明する。
図１から３に示すように、マンホール出入り用装置１は、梯子支持部材２と該部材に取り付けられる補助梯子３とから構成されている。マンホール出入り用装置１は、作業者がマンホール５内へ入る際、およびマンホール５から外へ出る際に使用する装置であり、該作業者の出入りを補助するための装置である。該装置１は、マンホールの内壁に設けられている昇降用ステップ６に連続するように、マンホール５の出入り口から外部に架けて配設される。
【００１８】
梯子支持部材２は、補助梯子３を支持するための部材であり、その材質は鉄からなり、マンホール５の出入り口近傍の内壁７で、最上段に設けられている昇降用ステップ６ａの上方に取付けられる。梯子支持部材２は、Ｌ字形状を有しており（図３から６参照）、取り付けられる補助梯子２の左右両支柱８ａ、８ｂの間隔Ｗと同じ間隔Ｗ’だけ離れて配置される一対の支持部材２ａ、２ｂ（図１参照）からなる。
【００１９】
梯子支持部材２は、図４から６に示されるように、マンホール内壁７に取り付けられたとき内壁７方向へ延びる壁嵌入支持部１０と、マンホール口方向へ延びる梯子取付け支持部１１とから構成されている。
【００２０】
壁嵌入支持部１０には、内壁７に形成された取付孔１２に嵌入される取付部１３が設けられており、また、該取付部１３を覆って取付けられる有底円筒状のスリーブ１４と、壁嵌入支持部１０の外周に装着されるカバーリング１５が設けられている。
【００２１】
取付部１３は、小径部１３ａと大径部１３ｂとからなり、小径部１３ａには接着効率を高めるため（後述する）の、周方向に形成された複数の凹溝１６が形成されている。また、スリーブ１４は、一方の端部（先端部）が底によって閉塞されており、周壁には複数の開口１７が形成されている。また、カバーリング１５は、例えば、硬質プラスチック等の剛性部材からなり、図に示されるようなドーナッツ形状を有し、中央部には壁嵌入支持部１０が嵌入される貫通孔が形成されている。大径部１３ｂから梯子取付け支持部１１に架けての湾曲部は、梯子支持部材２の強度を確保するためさらに大径に形成されている。大径部１３ｂおよび湾曲部は、鉄材に硬質樹脂を被覆した構成を有している。ただし、必ずしも樹脂で被覆する必要はなく、小径部１３ａ、大径部１３ｂ、及び湾曲部のそれぞれを径を変えた鉄材で構成するようにしてもよい。
【００２２】
梯子取付け支持部１１は、例えば、図に示すような円柱形状を有しており、補助梯子３の下端部が嵌合され取り付けられる材質を鉄とする支持部である。なお、該支持部１１の形態は、円柱形状に限定されるものではなく、例えば、四角形、五角形等の多角柱形状であってもよいが、補助梯子３の着脱作業の効率上、できる限り単純な形状であることが望ましい。また、梯子取付け支持部１１の上面には、例えば、反射塗料を塗ることにより、あるいは反射シールを貼り付けることにより反射部材３０が設けられている。これにより、暗いマンホール内であっても、また、夕方、夜間等の外部が暗い状態であっても照らすライトの光に反射して梯子取付け支持部１１の位置を簡単に確認することができ、補助梯子３の取付作業を容易に行うことができる。
【００２３】
補助梯子３は、左右に延びる一対の支柱８ａ、８ｂと、該支柱間に等間隔に取付けられた複数のステップ部２０（２０ａ〜２０ｄ）から構成されている。両支柱８ａ、８ｂの下端部２１ａ、２１ｂは、梯子支持部材２の梯子取付け支持部１１が嵌入可能なパイプ形状に形成されている。上記のように梯子取付け支持部１１の形状は、円柱、多角柱形状であるため、このパイプの形状も梯子取付け支持部１１の形状に対応した形状に形成されている。補助梯子３は、ステップ部２０がマンホール５内の昇降用ステップ６に続くように配置される。補助梯子３の形態としては、図１、２に示すような、左右の両支柱８ａ、８ｂが真っ直ぐ鉛直方向に延びる形状のものの他、例えば、図７（ａ）、（ｂ）に示されるような、左右の両支柱が階段状に屈折された形状のもの、斜めに傾斜して延びる形状のもの等であってもよい。
【００２４】
梯子支持部材２は、補助梯子３を取り付けたとき、最上段に設けられている昇降用ステップ６ａと補助梯子３の最下段のステップ２０ａの間隔Ｈが、昇降用ステップ６ａと６ｂの間隔Ｈ’と同じ間隔になる位置に取り付けられる。これにより、昇降用ステップ６とこれに続く補助梯子３のステップ間隔が一様に等しくなるため、両者全体で一連の梯子が形成され作業者の昇降動作をさらに容易にする。ただし、このステップ間隔Ｈ、Ｈ’の調節は、補助梯子３の最下段ステップ２０ａよりも下側に延在する支柱８ａ、８ｂの長さがどの程度に形成されているかにもよるため、この点も考慮して梯子支持部材２の取り付け位置を決定する。
【００２５】
次に、梯子支持部材２をマンホール５の内壁７に取り付ける方法（手順）について以下に説明する。
先ず、マンホール５の内壁に形成した取付孔１２（上述したように、補助梯子３の支柱８ａと８ｂの間隔、ステップ間隔Ｈ、Ｈ’に対応した取付孔）に、スリーブ１４を嵌入する。スリーブ１４の周方向の外周面には抜け防止のための爪部（抜け防止部）１８、１９が突設されているため、嵌入されたスリーブ４は取付孔１２内に固定される。
【００２６】
次に、梯子取付け支持部１１が補助梯子３の支柱８ａ、８ｂの下端部に挿入可能なように、取付部１３を取付孔１２（取付孔１２に嵌入したスリーブ１４）内に所定の角度（周方向の角度）で嵌入する。取付部１３の大径に形成された根元部分４０が、スリーブ１４内に嵌入されることにより取付部１３がスリーブ１４に固定され、梯子支持部材２の周方向の取付け角度が固定される。大径の根元部分４０には取付孔１２内の空気を抜くためのエア抜き溝４２が取付孔１２の方向に沿って形成されており、取付孔１２内への取付部１３の嵌入を容易にしている。なお、このときカバーリング１５は予め取付部１３に装着し遊嵌させておく。
【００２７】
取付部１３を嵌入する際には、エポキシ樹脂等からなる接着用樹脂を含有させた袋状のスポンジ等（図示は省略する）を取付部１３に装着させて取付孔１２に嵌入する。取付部１３に形成されている凹溝１６は該スポンジの抜けを防止すると共に、接着効率を高めることができる。スリーブ１４の周壁の開口１７からスリーブ外部にはみ出した接着剤は、取付孔１２の内壁７面に到達し、壁嵌入支持部１０の取付部１３は確実に取付孔１２に接着され、梯子支持部材２は内壁７に固定される。
【００２８】
カバーリング１５は、接着剤が固化した後に壁嵌入支持部１０に沿って押し込むことにより、その一部分が取付孔１２内に嵌入される。これにより取付孔１２のマンホール内壁面側開口部分はカバーリング１５によって完全に塞がれる。また、カバーリング１５の一部分が取付孔１２内に嵌入された状態で開口部分を塞ぐので、マンホールの内壁面７の形状（傾斜を有する壁）に影響されることなく、隙間なく開口部分を塞ぐことができる。また、カバーリング１５は剛性部材からなるため、カバーリング１５自体によって梯子支持部材２の緩み及びガタツキを抑え取付強度を増加させることもできる。
【００２９】
ここで、取付孔１２内に嵌入固定されたスリーブ１４に梯子支持部材２をより確実に固定するために、例えば、図６に示すように、スリーブ１４の内壁に突起部４３を設けるようにしてもよい。突起部４３の数は単数であっても複数であってもよい。取付部１３がスリーブ１４に嵌入されたとき、突起部４３の圧力が根元部分４０に加わり、梯子支持部材２は確実に取付孔１２（内壁７）に上記所定の角度で固定することができる。
【符号の説明】
【００３０】
１    マンホール出入り用装置
２    梯子支持部材
３    補助梯子
５    マンホール
６    昇降用ステップ
７    内壁
８ａ、８ｂ  支柱
１０  壁嵌入支持部
１１  梯子取付け支持部
１２  取付孔
１３  取付部
１４  スリーブ
１５  カバーリング
２０  ステップ部
３０  反射部材
４２  エア抜き溝
４３  突起部
【図１】
2010248776.tif 000003
【図２】
2010248776.tif 000004
【図３】
2010248776.tif 000005
【図４】
2010248776.tif 000006
【図５】
2010248776.tif 000007
【図６】
2010248776.tif 000008
【図７】
2010248776.tif 000009